(57)【要約】【課題】任意のアーティストについて未収録の楽曲を容易に確認できる「情報検索装置および情報検索方法」を提供する。【解決手段】情報検索部２１０が、指定されたアーティスト名が含まれるマスタ楽曲情報３００および管理情報４００を、楽曲情報記憶部１９０および管理情報記憶部２００から検索し、情報提供部２２０が、情報検索部２１０により検索されたマスタ楽曲情報３００により示される楽曲アルバムから、情報検索部２１０により検索された管理情報４００により示される楽曲アルバムを除いた楽曲アルバムを抽出し、その抽出した楽曲アルバムの楽曲情報を提供することにより、指定されたアーティスト名について未収録の楽曲アルバムの楽曲情報のみを得ることができるようにし、任意のアーティストについて未収録の楽曲を容易に確認することができるようにする。【選択図】図１
2008176618.tif 000002
【特許請求の範囲】
【請求項１】
複数の楽曲が含まれる楽曲アルバムの楽曲情報であって、当該楽曲アルバムのアーティスト名が含まれる楽曲情報をマスタ楽曲情報として記憶する楽曲情報記憶部と、
記録媒体にオーディオデータとして記録されている楽曲アルバムの楽曲情報であって、当該楽曲アルバムのアーティスト名が含まれる楽曲情報を管理情報として記憶する管理情報記憶部と、
指定されたアーティスト名が含まれるマスタ楽曲情報および管理情報を、前記楽曲情報記憶部および前記管理情報記憶部から検索する情報検索部と、
前記情報検索部により検索されたマスタ楽曲情報により示される楽曲アルバムから、前記情報検索部により検索された管理情報により示される楽曲アルバムを除いた楽曲アルバムを抽出し、その抽出した楽曲アルバムの楽曲情報を提供する情報提供部と、
を有することを特徴とする情報検索装置。
【請求項２】
請求項１に記載の情報検索装置において、
外部より取得した楽曲アルバムの楽曲情報により、前記楽曲情報記憶部に記憶されているマスタ楽曲情報を更新する情報更新部をさらに有することを特徴とする情報検索装置。
【請求項３】
請求項２に記載の情報検索装置において、
前記情報検索部は、前記情報更新部にて更新されたマスタ楽曲情報の範囲に限定して、前記楽曲情報記憶部に対する検索を行うことを特徴とする情報検索装置。
【請求項４】
請求項１〜３のいずれか１項に記載の情報検索装置において、
楽曲アルバムに含まれているすべての楽曲が前記記録媒体にオーディオデータとして記録されている場合に限り、前記楽曲アルバムの楽曲情報を管理情報として、前記管理情報記憶部に記憶する記録管理部をさらに有することを特徴とする情報検索装置。
【請求項５】
請求項１〜３のいずれか１項に記載の情報検索装置において、
楽曲アルバムに含まれている楽曲の少なくとも１つが前記記録媒体にオーディオデータとして記録されている場合、前記楽曲アルバムの楽曲情報を管理情報として、前記管理情報記憶部に記憶する記録管理部をさらに有することを特徴とする情報検索装置。
【請求項６】
請求項５に記載の情報検索装置において、
前記記録管理部は、前記楽曲アルバムに含まれる楽曲のうち、前記記録媒体にオーディオデータとして記録されている楽曲の楽曲情報を前記管理情報として、前記楽曲アルバムの楽曲情報に含めて前記管理情報記憶部に記憶し、
前記情報提供部は、前記情報検索部により検索されたマスタ楽曲情報により示される楽曲アルバムに含まれる楽曲から、前記情報検索部により検索された管理情報により示される楽曲アルバムに含まれる楽曲のうち、前記記録媒体にオーディオデータとして記録されている楽曲を除いた楽曲を抽出し、その抽出した楽曲の楽曲情報を提供することを特徴とする情報検索装置。
【請求項７】
複数の楽曲が含まれる楽曲アルバムの楽曲情報であって、当該楽曲アルバムのアーティスト名が含まれる楽曲情報をマスタ楽曲情報として記憶する楽曲情報記憶部と、記録媒体にオーディオデータとして記録されている楽曲アルバムの楽曲情報であって、当該楽曲アルバムのアーティスト名が含まれる楽曲情報を管理情報として記憶する管理情報記憶部とを備える情報検索装置における情報検索方法であって、
指定されたアーティスト名が含まれるマスタ楽曲情報および管理情報を、前記楽曲情報記憶部および前記管理情報記憶部から検索する第１のステップと、
前記情報検索部により検索されたマスタ楽曲情報により示される楽曲アルバムから、前記情報検索部により検索された管理情報により示される楽曲アルバムを除いた楽曲アルバムを抽出し、その抽出した楽曲アルバムの楽曲情報を提供する第２のステップと、
を有することを特徴とする情報検索方法。
【発明の詳細な説明】
【技術分野】
【０００１】
本発明は、情報検索装置および情報検索方法に関し、特に、複数の楽曲情報を記憶するデータベースに対して、所望の情報を検索するようになされた装置および方法に用いて好適なものである。
【背景技術】
【０００２】
従来、情報データベースに蓄積されている情報を活用した技術として、記録媒体に記録されたプログラムを再生する場合に、当該プログラムに関連する情報を情報データベースから取得し、効果的にその情報をユーザに提供する情報提供システムが提案されている（例えば、特許文献１を参照）。また、楽曲情報ＤＢ（Ｄａｔａ  Ｂａｓｅ）を利用して、ユーザの嗜好に合致した楽曲を効率的に紹介する楽曲情報紹介システムが提案されている（例えば、特許文献２を参照）。
【特許文献１】特開２００４−１８５７８８号公報
【特許文献２】特開２００５−３００７７２号公報
【０００３】
一方、近年のオーディオ処理装置の中には、ＣＤ（Ｃｏｍｐａｃｔ  Ｄｉｓｃ）アルバムの楽曲情報を管理するＣＤＤＢ（ＣＤ  Ｄａｔａ  Ｂａｓｅ）を利用して、ＣＤアルバムに含まれる各楽曲の楽曲名、アルバム名、アーティスト名等を表示する機能を備えたものがある。この機能を用いることで、ユーザは、ＣＤアルバムに含まれる楽曲や、ＣＤアルバムから装置内のＨＤ（Ｈａｒｄ  Ｄｉｓｃ）に録音した楽曲を再生するとき、現在どの楽曲を聞いているのかを容易に把握することができる。また、現時点においてオーディオ処理装置のＨＤに録音済みのＣＤアルバムを検索することができる。
【発明の開示】
【発明が解決しようとする課題】
【０００４】
しかしながら、上述したオーディオ処理装置における検索処理は、ユーザが過去に実際に手に取り、ＨＤに収録したＣＤアルバムの範囲内で行われるため、ユーザが、あるアーティストについて多数のＣＤアルバムを所有している場合、どのＣＤアルバムをＨＤに録音したか確認するには、現在ＨＤに記録されているＣＤアルバムの楽曲情報を見ることでしか確認できない。しかし、どのＣＤアルバムがＨＤに記録されているかを調べるためには、どのＣＤアルバムが記録されていないかを見た方が早い場合がある。
【０００５】
本発明は、このような問題を解決するために成されたものであり、任意のアーティストについて未収録の楽曲アルバムや楽曲アルバム内の楽曲を容易に確認できるようにすることを目的とする。
【課題を解決するための手段】
【０００６】
上記した課題を解決するために、本発明では、情報検索部が、指定されたアーティスト名が含まれるマスタ楽曲情報および管理情報を、楽曲情報記憶部および管理情報記憶部から検索し、情報提供部が、当該情報検索部により検索されたマスタ楽曲情報により示される楽曲アルバムから、当該情報検索部により検索された管理情報により示される楽曲アルバムを除いた楽曲アルバムを抽出し、その抽出した楽曲アルバムの楽曲情報を提供するようにしている。
【０００７】
また、本発明の他の態様では、記録管理部が、楽曲アルバムに含まれる楽曲のうち、記録媒体にオーディオデータとして記録されている楽曲の楽曲情報を管理情報として、楽曲アルバムの楽曲情報に含めて管理情報記憶部に記憶し、情報提供部が、情報検索部により検索されたマスタ楽曲情報により示される楽曲アルバムに含まれる楽曲から、情報検索部により検索された管理情報により示される楽曲アルバムに含まれる楽曲のうち、記録媒体にオーディオデータとして記録されている楽曲を除いた楽曲を抽出し、その抽出した楽曲の楽曲情報を提供するようにしている。
【発明の効果】
【０００８】
上記のように構成した本発明によれば、情報検索部により検索されるマスタ楽曲情報には記録媒体に記録済みの楽曲アルバムと未収録の楽曲アルバムとの双方の楽曲情報が含まれ、情報検索部により検索される管理情報には収録済みの楽曲アルバムの楽曲情報のみが含まれるため、マスタ楽曲情報により示される楽曲アルバムと管理情報により示される楽曲アルバムとの差分が抽出されることにより、指定されたアーティスト名について未収録の楽曲アルバムの楽曲情報のみを得ることが可能となり、任意のアーティストについて未収録の楽曲アルバムを容易に確認できる。
【０００９】
また、本発明の他の特徴によれば、情報検索部により検索されるマスタ楽曲情報には楽曲アルバム内の各楽曲について記録媒体に記録済みの楽曲と未収録の楽曲との双方の楽曲情報が含まれ、情報検索部により検索される管理情報には楽曲アルバム内の各楽曲について記録媒体に記録済みの楽曲に関する楽曲情報のみが含まれるため、マスタ楽曲情報により示される楽曲アルバム内の楽曲と管理情報により示される楽曲アルバム内の楽曲との差分が抽出されることにより、指定されたアーティスト名について未収録の楽曲に関する楽曲情報のみを得ることが可能となり、任意のアーティストについて未収録の楽曲を容易に確認できる。
【発明を実施するための最良の形態】
【００１０】
以下、本発明の実施の形態（以下、本実施形態という）を図面に基づいて説明する。図１は、本実施形態による情報検索装置１０の機能構成例を示す図である。
【００１１】
図１に示すように、情報検索装置１０は、情報検索装置１０の全体の動作を制御するマイコン１００、ＣＤ（Ｃｏｍｐａｃｔ  Ｄｉｓｃ）ドライブ１２０、Ｄ／Ａ（Ｄｉｇｉｔａｌ  ｔｏ  Ａｎａｌｏｇ）コンバータ１３０、ＨＤ（Ｈａｒｄ  Ｄｉｓｋ）１４０が制御用バス１１０を介して接続される。本実施形態では、情報検索装置１０は、車両のカーナビゲーション装置（図示せず）に搭載されている。また、情報検索装置１０は、ＣＤドライブ１２０から音楽ＣＤ１５０（本発明の楽曲アルバムに相当）のオーディオデータを入力し、ＨＤ１４０に記録（録音）することが可能である。
【００１２】
ＣＤドライブ１２０は、音楽ＣＤ１５０を回転可能な状態で保持するターンテーブルや、音楽ＣＤ１５０に記録された楽曲に対応するオーディオデータを読み込む光ピックアップなどを備える。ＣＤドライブ１２０は、音楽ＣＤ１５０が挿入されると音楽ＣＤ１５０をターンテーブルで回転させながら光ピックアップにて音楽ＣＤ１５０に記録されたオーディオデータを読み込み、その読み込んだオーディオデータをマイコン１２０の再生指示に基づいてＤ／Ａコンバータ１３０へ出力する。
【００１３】
Ｄ／Ａコンバータ１３０は、ＣＤドライブ１２０から出力されたオーディオデータをアナログのオーディオ信号に変換し、そのオーディオ信号をアンプ１６０に出力する。アンプ１６０は、Ｄ／Ａコンバータ１３０から出力されたオーディオ信号を増幅したのちスピーカ１７０に出力する。スピーカ１７０は、アンプ１６０から出力されたオーディオ信号をもとに音声を外部に出力する。
【００１４】
ＨＤ１４０（本発明の記録媒体に相当）は、オーディオデータ記憶部１８０、楽曲情報記憶部１９０、管理情報記憶部２００を有する。オーディオデータ記憶部１８０は、情報検索装置１０を搭載したナビゲーション装置が備える録音機能により、音楽ＣＤ１５０からＣＤドライブ１２０を介して読み出されたオーディオデータを記憶する。
【００１５】
楽曲情報記憶部１９０は、いわゆるＣＤＤＢ（Ｃｏｍｐａｃｔ  Ｄｉｓｃ  ＤａｔａＢａｓｅ）である。すなわち、楽曲情報記憶部１９０は、複数の楽曲が含まれる楽曲アルバムの楽曲情報であって、当該楽曲アルバムのアーティスト名が含まれる楽曲情報をマスタ楽曲情報として記憶する。楽曲情報記憶部１９０には、出荷時点において最新のマスタ楽曲情報があらかじめ記録されている。マスタ楽曲情報には、オーディオデータ記憶部１８０に録音済みの楽曲アルバムに関するものと、未収録の楽曲アルバムに関するものとの両方が含まれる。
【００１６】
図２は、楽曲情報記憶部１９０に記憶されるマスタ楽曲情報の例を示す図である。図２に示すように、各楽曲アルバムのマスタ楽曲情報３００には、ＴＯＣ（Ｔａｂｌｅ  Ｏｆ  Ｃｏｎｔｅｎｔｓ）情報、楽曲アルバムのアルバム名、楽曲アルバムのアーティスト名、楽曲アルバムのリリース年月、楽曲アルバムに含まれる各楽曲の楽曲名が項目情報として含まれる。ここで、ＴＯＣ情報とは、楽曲アルバムに含まれる楽曲の曲数、演奏時間、休止時間などの情報を記録した目次情報である。
【００１７】
管理情報記憶部２００は、ＨＤ１４０のオーディオデータ記憶部１８０にオーディオデータとして記録されている音楽ＣＤ１５０の楽曲情報であって、当該音楽ＣＤ１５０のアーティスト名が含まれる楽曲情報を管理情報として記憶する。図３は、管理情報記憶部２００に記憶される管理情報の例を示す図である。図３に示すように、各音楽ＣＤ１５０の管理情報４００には、音楽ＣＤ１５０のアルバム名、音楽ＣＤ１５０のアーティスト名が項目情報として含まれる。
【００１８】
マイコン１２０は、システムコントローラであり、情報検索装置１０の全体を制御する。マイコン１２０は、その機能構成として、情報検索部２１０、情報提供部２２０、情報更新部２４０、記録管理部２７０を備える。情報検索部２１０は、指定されたアーティスト名が含まれるマスタ楽曲情報３００および管理情報４００を、楽曲情報記憶部１９０および管理情報記憶部２００から検索する。
【００１９】
情報提供部２２０は、情報検索部２１０により検索されたマスタ楽曲情報３００により示される楽曲アルバムから、情報検索部２１０により検索された管理情報４００により示される楽曲アルバムを除いた楽曲アルバム、すなわち、オーディオデータ記憶部１８０にオーディオデータとして記録されていない楽曲アルバムを抽出し、その抽出した楽曲アルバムの楽曲情報を提供する。本実施形態では、情報提供部２２０は、抽出した楽曲アルバムの楽曲情報をモニタ２３０に表示する。例えば、楽曲情報記憶部１９０に楽曲アルバムＸ、楽曲アルバムＹ、楽曲アルバムＺの楽曲情報が記憶されており、管理情報記憶部２００に楽曲アルバムＸ、楽曲アルバムＹの楽曲情報が記憶されている場合、情報提供部２２０は、オーディオデータ記憶部１８０にオーディオデータとして記録されていない楽曲アルバムとして楽曲アルバムＺを抽出し、抽出した楽曲アルバムＺの楽曲情報をモニタ２３０に表示する。
【００２０】
情報更新部２４０は、外部より取得した楽曲アルバムの楽曲情報により、楽曲情報記憶部１９０に記憶されているマスタ楽曲情報３００を更新する。本実施形態では、情報更新部２４０は、インターネット２６０に存在する楽曲情報配信サーバ（図示せず）と通信部２５０を介して通信し、当該楽曲情報配信サーバから楽曲情報を受信する。なお、情報更新部２４０は、楽曲アルバムの楽曲情報が記録されている外部記録媒体を情報検索装置１０に接続して、当該外部記録媒体から楽曲情報を取得してもよい。
【００２１】
記録管理部２７０は、音楽ＣＤ１５０の楽曲がオーディオデータとしてオーディオデータ記憶部１８０に記録されるときに、その音楽ＣＤ１５０の楽曲情報を管理情報記憶部２００に記録する処理を行う。例えば、記録管理部２７０は、音楽ＣＤ１５０に含まれているすべての楽曲がオーディオデータ記憶部１８０にオーディオデータとして記録された場合に限り、当該音楽ＣＤ１５０の楽曲情報を管理情報４００として、管理情報記憶部２００に記憶する。このとき、管理情報４００として記憶するアルバム名とアーティスト名は、音楽ＣＤ１５０に記録されているＴＯＣ情報を検索キーとして楽曲情報記憶部１９０から取得する。
【００２２】
次に、本実施形態による情報検索装置１０の動作について説明する。図４は、本実施形態の情報検索装置１０における情報検索方法の全体の流れを示すフローチャートである。図４における情報検索処理は、例えば、音楽ＣＤ１５０をＣＤドライブ１２０に挿入し、音楽ＣＤ１５０に含まれている楽曲を再生している場合、音楽ＣＤ１５０のアーティストについて未収録の楽曲アルバムの楽曲情報を表示するときの処理内容を示している。
【００２３】
図５（ａ）は、情報検索装置１０により音楽ＣＤ１５０の楽曲を再生している場合、モニタ２３０に表示される表示画面例を示している。図５（ａ）のモニタ表示画面では、音楽ＣＤ１５０の楽曲情報５１０として、曲名（図５（ａ）では、現在再生中の２曲目の曲名：ＭｕｓｉｃＡＢＣ）、アルバム名（図５（ａ）では、音楽ＣＤ１５０のアルバム名：ＡｌｂｕｍＡＢＣ）、アーティスト名（図５（ａ）では、音楽ＣＤ１５０のアーティスト名：ＡＢＣ）を表示している。ユーザが、モニタ表示画面の未収録曲検索ボタン５２０を押下すると、図４におけるステップＳ１００の処理が開始する。
【００２４】
ステップＳ１００では、情報検索部２１０は、再生中の音楽ＣＤ１５０のアーティスト名を検索キーに設定する。具体的には、情報検索部２１０は、音楽ＣＤ１５０に記録されているＴＯＣ情報を検索キーとして楽曲情報記憶部１９０を検索し、ＣＤドライブ１２０に挿入された音楽ＣＤ１５０の楽曲情報に含まれるアーティスト名を取得し、検索キーに設定する。
【００２５】
ステップＳ１２０では、情報検索部２１０は、検索キーとして指定されたアーティスト名が含まれるマスタ楽曲情報３００および管理情報４００を、楽曲情報記憶部１９０および管理情報記憶部２００に記憶されるもの全てを対象に検索する。
【００２６】
ステップＳ１４０では、情報提供部２２０は、情報検索部２１０により検索されたマスタ楽曲情報３００により示される楽曲アルバムから、情報検索部２１０により検索された管理情報４００により示される楽曲アルバムを除いた楽曲アルバム、すなわち、オーディオデータ記憶部１８０に未収録の楽曲アルバムを抽出する。
【００２７】
ステップＳ１６０では、情報提供部２２０は、ステップＳ１４０にて抽出した楽曲アルバムの楽曲情報をモニタ２３０に表示する。図５（ｂ）は、抽出した楽曲アルバムの楽曲情報６００を上下に一覧表示した表示画面例である。図５（ｂ）に示すように、各楽曲アルバムの楽曲情報６００として、アルバム名およびリリース年月が、リリース年月を基準として昇順に表示されている。なお、各楽曲アルバムの楽曲情報６００は、リリース年月を基準として降順に表示してもよい。
【００２８】
次に、楽曲情報記憶部１９０に記憶されているマスタ楽曲情報３００が更新された場合、未収録の楽曲アルバムを検索し、当該楽曲アルバムの楽曲情報を提供する場合について説明する。図６は、その場合における情報検索装置１０のモニタ表示画面の例を示す図である。
【００２９】
図６（ａ）は、情報更新部２４０が、楽曲アルバムの楽曲情報を外部より取得している場合のモニタ表示画面の例である。図６（ｂ）は、情報更新部２４０が、外部より取得した楽曲アルバムの楽曲情報により、楽曲情報記憶部１９０に記憶されているマスタ楽曲情報３００の更新処理が完了した場合の表示画面例である。ここで、ユーザが、モニタ表示画面中の未収録曲検索ボタン７００を押下すると、図４において説明した情報検索処理が実行される。
【００３０】
このとき、アーティスト名は、例えば、未収録曲検索ボタン７００を押下したときに遷移するアーティスト名入力画面（図示せず）において、ユーザが図示しない操作入力部を操作することによって指定することができる。なお、音楽ＣＤ１５０がＣＤドライブ１２０に挿入されていれば、その音楽ＣＤ１５０のアーティスト名を図４のステップＳ１００と同様の手段で指定するようにしてもよい。
【００３１】
そして、情報検索処理が終了したあと、モニタ表示画面は図６（ｃ）に遷移する。図６（ｃ）に示すように、各楽曲アルバムの楽曲情報７１０として、アルバム名およびリリース年月が、リリース年月を基準として昇順に表示されている。なお、図６（ｃ）において網掛けされている楽曲情報７１０は、楽曲情報記憶部１９０に記憶されているマスタ楽曲情報３００の更新処理後に新たに検索された楽曲アルバムの楽曲情報である。
【００３２】
以上詳しく説明したように、本実施形態によれば、オーディオデータ記憶部１８０に収録済みの楽曲アルバムおよび未収録の楽曲アルバムのマスタ楽曲情報３００が記憶された楽曲情報記憶部１９０と、オーディオデータ記憶部１８０に収録済みの楽曲アルバムの楽曲情報（管理情報４００）が記憶された管理情報記憶部２００とを情報検索部２１０により検索し、マスタ楽曲情報３００により示される楽曲アルバムと管理情報４００により示される楽曲アルバムとの差分を抽出することにより、指定されたアーティスト名について未収録の楽曲アルバムの楽曲情報のみを得ることが可能になるため、任意のアーティストについて未収録の楽曲アルバムを容易に確認することができる。
【００３３】
なお、本実施形態では、情報検索部２１０は、指定されたアーティスト名が含まれるマスタ楽曲情報３００を楽曲情報記憶部１９０の全体から検索しているが、情報更新部２４０にて更新されたマスタ楽曲情報３００の範囲に検索範囲を限定して、楽曲情報記憶部１９０に対する検索を行ってもよい。これにより、例えば、楽曲情報記憶部１９０に記憶されているマスタ楽曲情報３００を年次で更新した場合、ユーザは任意のアーティストの楽曲アルバムについて新しいリリース情報や購入し忘れていた楽曲アルバムなどを容易に確認することができる。
【００３４】
また、本実施形態では、記録管理部２７０は、楽曲アルバムに含まれている全ての楽曲がＨＤ１４０にオーディオデータとして記録されている場合に限り、当該楽曲アルバムの楽曲情報を管理情報４００として、管理情報記憶部２００に記憶しているが、これに限定されない。例えば、記録管理部２７０は、楽曲アルバムに含まれている楽曲の少なくとも１曲がＨＤ１４０にオーディオデータとして記録されている場合、当該楽曲アルバムの楽曲情報を管理情報４００として、管理情報記憶部２００に記憶してもよい。これは、楽曲アルバムの中から好きな曲だけを意図的に録音することもあるためである。その場合には、上記楽曲アルバムは収録済みとして扱われるので、未収録の表示から外すことができる。
【００３５】
また、記録管理部２７０は、楽曲アルバムに含まれる楽曲のうち、ＨＤ１４０にオーディオデータとして記録されている楽曲の楽曲情報を管理情報４００として、上記楽曲アルバムの楽曲情報に含めて管理情報記憶部２００に記憶するようにしても良い。この場合、情報提供部２２０は、情報検索部２１０により検索されたマスタ楽曲情報により示される楽曲アルバムに含まれる楽曲から、情報検索部２１０により検索された管理情報４００により示される楽曲アルバムに含まれる楽曲のうち、ＨＤ１４０にオーディオデータとして記録されている楽曲を除いた楽曲を抽出し、その抽出した楽曲の楽曲情報を提供する。このように構成した場合は、指定されたアーティスト名について一部の楽曲が未収録の楽曲アルバムに関して、未収録の楽曲に関する楽曲情報のみを得ることが可能になるため、任意のアーティストについて未収録の楽曲を容易に確認することができる。
【００３６】
また、本実施形態では、音楽ＣＤ１５０に含まれている楽曲を再生している場合または楽曲情報記憶部１９０に記憶されるマスタ楽曲情報３００が更新された場合において、音楽ＣＤ１５０のアーティストについて未収録の楽曲アルバムを検索しているが、これに限定されない。例えば、ＣＤドライブ１２０から音楽ＣＤ１５０のオーディオデータを入力し、ＨＤ１４０に記録（録音）している場合において、音楽ＣＤ１５０のアーティストについて未収録の楽曲アルバムを検索するようにしてもよい。
【００３７】
また、ＨＤ１４０にオーディオデータとして記録されていない楽曲アルバムの楽曲情報を未収録楽曲情報として管理情報記憶部２００に記憶し、指定されたアーティスト名に関する未収録楽曲情報を検索して提供するようにしてもよい。この場合において、楽曲アルバム単位ではなく曲単位で未収録楽曲情報を記憶し、楽曲単位で検索および情報提供できるようにしてもよい。これにより、ユーザは、情報検索装置１０により提供された未収録楽曲情報を参照することにより、任意のアーティストに関する楽曲アルバムに含まれている未収録の楽曲の楽曲情報を容易に確認することができる。
【００３８】
また、図４で説明した実施形態では、再生中の音楽ＣＤ１５０のアーティスト名を情報検索部２１０が検索キーに設定しているが、これに限定されない。例えば、ユーザが操作入力部（図示せず）を介して任意のアーティスト名を入力して設定してもよい。
【００３９】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００４０】
【図１】本実施形態による情報検索装置の構成例を示す図である。
【図２】本実施形態による情報検索装置の楽曲情報記憶部に記憶されるマスタ楽曲情報の例を示す図である。
【図３】本実施形態による情報検索装置の管理情報記憶部に記憶される管理情報の例を示す図である。
【図４】本実施形態による情報検索装置にて行われる情報検索方法を示すフローチャートである。
【図５】本実施形態による情報検索装置のモニタ表示画面例を示す図である。
【図６】本実施形態による情報検索装置のモニタ表示画面例を示す図である。
【符号の説明】
【００４１】
１０  情報検索装置
１４０  ＨＤ
１５０  音楽ＣＤ
１８０  オーディオデータ記憶部
１９０  楽曲情報記憶部
２００  管理情報記憶部
２１０  情報検索部
２２０  情報提供部
２４０  情報更新部
２５０  通信部
【図１】
2008176618.tif 000003
【図２】
2008176618.tif 000004
【図３】
2008176618.tif 000005
【図４】
2008176618.tif 000006
【図５】
2008176618.tif 000007
【図６】
2008176618.tif 000008